(57)【要約】  本発明において、端末は、該端末がＲＲＣ_ＣＯＮＮＥＣＴＥＤ状態ではない間に使用できるＵＬグラントを端末が受信する。端末がＲＲＣ_ＣＯＮＮＥＣＴＥＤ状態から離れることを指示するメッセージを受信すると、端末がＲＲＣ_ＣＯＮＮＥＣＴＥＤ状態から離れる時、時間整列タイマ(Ｉ−ＴＡＴ)を開始する。端末がＲＲＣ_ＣＯＮＮＥＣＴＥＤ状態ではない時、送信するＵＬデータがあり、またＩ−ＴＡＴが動作中であると、端末はＵＬグラントを使用してＵＬデータを送信する。【選択図】  図６
2019533374.tif 000002
【特許請求の範囲】
【請求項１】
無線通信システムにおいて端末が上りリンク(ｕｐｌｉｎｋ、ＵＬ)信号を送信する方法であって、
前記端末がＲＲＣ_ＣＯＮＮＥＣＴＥＤ状態ではない間に使用できるＵＬグラントを前記端末が受信する段階；
ＲＲＣ_ＣＯＮＮＥＣＴＥＤ状態から離れることを指示するメッセージを前記端末が受信する段階；
前記端末がＲＲＣ_ＣＯＮＮＥＣＴＥＤ状態から離れると、前記端末が時間整列タイマ(Ｉ−ＴＡＴ)を開始する段階；及び
前記端末がＲＲＣ_ＣＯＮＮＥＣＴＥＤ状態ではない時、送信するＵＬデータがあり、また前記Ｉ−ＴＡＴが動作中であると、前記端末が前記ＵＬグラントを使用して前記ＵＬデータを送信する段階を含んでなる、方法。
【請求項２】
前記端末がＲＲＣ_ＣＯＮＮＥＣＴＥＤ状態ではない時、送信するＵＬデータがあり、また前記Ｉ−ＴＡＴが動作中ではないと、前記端末が任意接続(ｒａｎｄｏｍ ａｃｃｅｓｓ、ＲＡ)手順を開始する、請求項１に記載の方法。
【請求項３】
前記端末がシステム情報により前記Ｉ−ＴＡＴを再開始するという指示を受信する段階；及び
前記端末が前記Ｉ−ＴＡＴを再開始する段階を更に含んでなる、請求項１に記載の方法。
【請求項４】
前記Ｉ−ＴＡＴは、前記端末がＲＲＣ_ＣＯＮＮＥＣＴＥＤ状態ではない間にＵＬタイミングが同期化されたと判断する期間である、請求項１に記載の方法。
【請求項５】
前記端末がＲＲＣ_ＣＯＮＮＥＣＴＥＤ状態から離れることは、前記端末がＲＲＣ_ＩＮＡＣＴＩＶＥ状態に進入することである、請求項１に記載の方法。
【請求項６】
前記端末がＲＲＣ_ＣＯＮＮＥＣＴＥＤ状態ではない時、前記ＵＬデータは前記ＵＬグラントを用いて前記端末の識別子と共に送信される、請求項１に記載の方法。
【請求項７】
前記端末がＲＲＣ_ＣＯＮＮＥＣＴＥＤ状態に進入する時、前記端末は前記Ｉ−ＴＡＴを中断する、請求項１に記載の方法。
【請求項８】
前記メッセージは前記時間整列タイマ(Ｉ−ＴＡＴ)に対する値を含んでなる、請求項１に記載の方法。
【請求項９】
無線通信システムにおいて上りリンク(ｕｐｌｉｎｋ、ＵＬ)信号を送信する端末であって、
ラジオ周波数(ｒａｄｉｏ ｆｒｅｑｕｅｎｃｙ、ＲＦ)ユニット；及び
前記ＲＦユニットを制御するように構成されるプロセッサを含んでなり、
前記プロセッサは、前記端末がＲＲＣ_ＣＯＮＮＥＣＴＥＤ状態ではない間に使用できるＵＬグラントを受信するように前記ＲＦユニットを制御し；
ＲＲＣ_ＣＯＮＮＥＣＴＥＤ状態から離れることを指示するメッセージを受信するように前記ＲＦユニットを制御し；
前記端末がＲＲＣ_ＣＯＮＮＥＣＴＥＤ状態から離れると、時間整列タイマ(Ｉ−ＴＡＴ)を開始し；及び
前記端末がＲＲＣ_ＣＯＮＮＥＣＴＥＤ状態ではない時、送信するＵＬデータがあり、また前記Ｉ−ＴＡＴ動作中であると、前記ＵＬグラントを使用して前記ＵＬデータを送信するように前記ＲＦユニットを制御するように構成されてなる、端末。
【請求項１０】
前記端末がＲＲＣ_ＣＯＮＮＥＣＴＥＤ状態ではない時、送信するＵＬデータがあり、また前記Ｉ−ＴＡＴが動作中ではないと、前記プロセッサは任意接続(ｒａｎｄｏｍ ａｃｃｅｓｓ、ＲＡ)手順を開始するように構成される、請求項９に記載の端末。
【請求項１１】
前記プロセッサは、システム情報により前記Ｉ−ＴＡＴを再開始するという指示を受信するように前記ＲＦユニットを制御し、前記Ｉ−ＴＡＴを再開始するように構成される、請求項９に記載の端末。
【請求項１２】
前記Ｉ−ＴＡＴは、前記端末がＲＲＣ_ＣＯＮＮＥＣＴＥＤ状態ではない間にＵＬタイミングが同期化されたと判断する期間である、請求項９に記載の端末。
【請求項１３】
前記端末がＲＲＣ_ＣＯＮＮＥＣＴＥＤ状態から離れることは、前記端末がＲＲＣ_ＩＮＡＣＴＩＶＥ状態に進入することである、請求項９に記載の端末。
【請求項１４】
前記プロセッサは、前記端末がＲＲＣ_ＣＯＮＮＥＣＴＥＤ状態ではない時、前記ＵＬグラントを用いて前記ＵＬデータを前記端末の識別子と共に送信するように前記ＲＦユニットを制御するように構成される、請求項９に記載の端末。
【請求項１５】
前記端末がＲＲＣ_ＣＯＮＮＥＣＴＥＤ状態に進入する時、前記プロセッサは前記Ｉ−ＴＡＴを中断するように構成される、請求項９に記載の端末。
【請求項１６】
前記メッセージは前記時間整列タイマ(Ｉ−ＴＡＴ)に対する値を備えてなる、請求項９に記載の端末。
【発明の詳細な説明】
【技術分野】
【０００１】
本発明は無線通信システムに関し、特に、上りリンク信号を送信する方法及び装置に関する。
【背景技術】
【０００２】
本発明を適用できる無線通信システムの一例として、３ＧＰＰ ＬＴＥ（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、“ＬＴＥ”という）通信システムについて概略的に説明する。
【０００３】
図１は無線通信システムの一例であって、Ｅ−ＵＭＴＳネットワーク構造を示す概略図である。Ｅ−ＵＭＴＳ（Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ）は、既存のＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ Ｔｅｒｍ Ｅｖｏｌｕｔｉｏｎ）システムと称することもできる。ＵＭＴＳ及びＥ−ＵＭＴＳの技術規格（ｔｅｃｈｎｉｃａｌ ｓｐｅｃｉｆｉｃａｔｉｏｎ）の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ−ＵＭＴＳは、端末（Ｕｓｅｒ Ｅｑｕｉｐｍｅｎｔ；ＵＥ）、基地局（ｅＮｏｄｅ Ｂ；ｅＮＢ）、及びネットワーク（Ｅ−ＵＴＲＡＮ）の終端に位置し、外部ネットワークと接続される接続ゲートウェイ（Ａｃｃｅｓｓ Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、複数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ Ａｕｔｏｍａｔｉｃ Ｒｅｐｅａｔ ａｎｄ ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ Ａｒｅａ）単位で端末の移動性を管理する。
【０００６】
無線通信技術は、ＷＣＤＭＡ（登録商標）に基づいてＬＴＥまで開発されてきたが、ユーザと事業者の要求と期待は持続的に増加している。また、他の無線接続技術が継続して開発されているので、今後、競合力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多くの通信装置がより大きい通信容量を要求することにより、レガシー無線アクセス技術（ｒａｄｉｏ ａｃｃｅｓｓ ｔｅｃｈｎｏｌｏｇｙ；ＲＡＴ）に比べて向上したモバイル広帯域通信に対する必要性が台頭しつつある。また、複数の装置と客体（ｏｂｊｅｃｔ）とを相互接続していつどこでも様々なサービスを提供するための大規模機械タイプ通信（ｍａｓｓｉｖｅ ｍａｃｈｉｎｅ ｔｙｐｅ ｃｏｍｍｕｎｉｃａｔｉｏｎ；ｍＭＴＣ）は、次世代通信において考慮すべき主要争点の一つである。また、信頼度及び待機時間に敏感なサービス／ＵＥを考慮して設計される通信システムに関する議論が進行中である。次世代（ｎｅｘｔ ｇｅｎｅｒａｔｉｏｎ）無線アクセス技術の導入は、向上したモバイル広帯域通信（ｅＭＢＢ）、ｍＭＴＣ、超高信頼性及び低待機時間通信（ｕｌｔｒａ−ｒｅｌｉａｂｌｅ ａｎｄ ｌｏｗ ｌａｔｅｎｃｙ ｃｏｍｍｕｎｉｃａｔｉｏｎ；ＵＲＬＬＣ）などを考慮して論議されている。
【発明の概要】
【発明が解決しようとする課題】
【０００８】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に效率的に受信／送信するための新しい方案が要求される。
【０００９】
なお、技術の発達に伴ってディレイ（ｄｅｌａｙ）或いは遅延（ｌａｔｅｎｃｙ）の克服が重要な課題として台頭しつつある。性能がディレイ／遅延によって大きく左右されるアプリケーションが増加していることから、既存システムに比べてディレイ／遅延を減らすための方案が要求されている。
【００１０】
また、スマート機器の発達に伴って、少ない量のデータを効率的に送信／受信或いは低い頻度で発生するデータを効率的に送信／受信するための新しい方案も要求されている。
【００１１】
また、新しい無線接続技術を支援するシステムで効率的に信号を送信／受信する方法が要求される。
【００１２】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【００１３】
本発明の一側面において、無線通信システムにおいて端末が上りリンク(ｕｐｌｉｎｋ、ＵＬ)信号を送信する方法が提供される。該方法は、端末がＲＲＣ_ＣＯＮＮＥＣＴＥＤ状態ではない間に使用できるＵＬグラントを端末が受信する段階；ＲＲＣ_ＣＯＮＮＥＣＴＥＤ状態から離れることを指示するメッセージを端末が受信する段階；端末がＲＲＣ_ＣＯＮＮＥＣＴＥＤ状態から離れると、端末が時間整列タイマ(Ｉ−ＴＡＴ)を開始する段階；及び端末がＲＲＣ_ＣＯＮＮＥＣＴＥＤ状態ではない時、送信するＵＬデータがあり、またＩ−ＴＡＴが動作中であると、端末がＵＬグラントを使用してＵＬデータを送信する段階を含む。
【００１４】
本発明の他の側面において、無線通信システムにおいて上りリンク(ｕｐｌｉｎｋ、ＵＬ)信号を送信する端末が提供される。端末はラジオ周波数(ｒａｄｉｏ ｆｒｅｑｕｅｎｃｙ、ＲＦ)ユニット及び該ＲＦユニットを制御するように構成されるプロセッサを備える。プロセッサは、端末がＲＲＣ_ＣＯＮＮＥＣＴＥＤ状態ではない間に使用できるＵＬグラントを受信するようにＲＦユニットを制御し；ＲＲＣ_ＣＯＮＮＥＣＴＥＤ状態から離れることを指示するメッセージを受信するようにＲＦユニットを制御し；端末がＲＲＣ_ＣＯＮＮＥＣＴＥＤ状態から離れると、時間整列タイマ(Ｉ−ＴＡＴ)を開始し；及び端末がＲＲＣ_ＣＯＮＮＥＣＴＥＤ状態ではない時、送信するＵＬデータがあり、またＩ−ＴＡＴ動作中であると、ＵＬグラントを使用してＵＬデータを送信するようにＲＦユニットを制御するように構成される。
【００１５】
本発明の各側面において、端末がＲＲＣ_ＣＯＮＮＥＣＴＥＤ状態ではない時、送信するＵＬデータがあり、またＩ−ＴＡＴが動作中ではないと、端末が任意接続(ｒａｎｄｏｍ ａｃｃｅｓｓ、ＲＡ)手順を開始する。
【００１６】
本発明の各側面において、端末はシステム情報によりＩ−ＴＡＴを再開始するという指示を受信することができる。指示を受信すると、端末がＩ−ＴＡＴを再開始する。
【００１７】
本発明の各側面において、Ｉ−ＴＡＴは、端末がＲＲＣ_ＣＯＮＮＥＣＴＥＤ状態ではない間にＵＬタイミングが同期化されたと判断する期間であることができる。
【００１８】
本発明の各側面において、端末がＲＲＣ_ＣＯＮＮＥＣＴＥＤ状態から離れることは、端末がＲＲＣ_ＩＮＡＣＴＩＶＥ状態に進入することである。
【００１９】
本発明の各側面において、端末がＲＲＣ_ＣＯＮＮＥＣＴＥＤ状態ではない時、ＵＬデータはＵＬグラントを用いて端末の識別子と共に送信されることができる。
【００２０】
本発明の各側面において、端末がＲＲＣ_ＣＯＮＮＥＣＴＥＤ状態に進入する時、端末はＩ−ＴＡＴを中断することができる。
【００２１】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２２】
本発明によれば、上りリンク／下りリンク信号を效率的に送信／受信することができる。これによって、無線通信システムの全体処理量（ｔｈｒｏｕｇｈｐｕｔ）が向上する。
【００２３】
本発明の一実施例によれば、低価／低複雑度のＵＥがレガシーシステムと互換性を維持しながら低コストで基地局（ｂａｓｅ ｓｔａｔｉｏｎ；ＢＳ）と通信を行うことができる。
【００２４】
本発明の一実施例によれば、低価／低複雑度のＵＥを実現することができる。
【００２５】
本発明の一実施例によれば、ＵＥとＢＳとが低い帯域（ｎａｒｒｏｗｂａｎｄ）で互いに通信を行うことができる。
【００２６】
本発明の一実施例によれば、ＵＥとＢＳとの通信過程において発生するディレイ／遅延を低くできる。
【００２７】
また、スマート機器のための少ない量のデータを効率的に送信／受信或いは低い頻度で発生するデータを効率的に送信／受信することができる。
【００２８】
また、新しい無線接続技術を支援するシステムで信号が効率的に送信／受信されることができる。
【００２９】
本発明の一実施例によれば、少ない量のデータを効率的に送信／受信することができる。
【００３０】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００３１】
本発明に関する理解を助けるために詳細な説明の一部として含まれる添付の図面は、本発明に関する実施例を提供し、詳細な説明と共に本発明の技術的思想を説明する。
【００３２】
【図１】無線通信システムの一例であって、Ｅ−ＵＭＴＳネットワーク構造を示す概略図である。
【図２】Ｅ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。
【図３】一般的なＥ−ＵＴＲＡＮ及びＥＰＣの構造を示すブロック図である。
【図４】３ＧＰＰ無線接続ネットワーク規格に基づくユーザ機器(ｕｓｅｒ ｅｑｕｉｐｍｅｎｔ、ＵＥ)とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ、ＣＰ)及びユーザ平面(Ｕｓｅｒ Ｐｌａｎｅ、ＵＰ)構造を示す図である。
【図５】Ｅ−ＵＭＴＳシステムにおいて用いる物理チャネル構造の一例を示す図である。
【図６】本発明によってＵＬデータ送信の一例を示すフローチャートである。
【図７】本発明を実行する送信装置１００及び受信装置２００の構成要素を示すブロック図である。
【発明を実施するための形態】
【００３３】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３４】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００３５】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システム、ＭＣ−ＦＤＭＡ（ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。ＣＤＭＡは、ＵＴＲＡ（Ｕｎｉｖｅｒｓａｌ Ｔｅｒｒｅｓｔｒｉａｌ Ｒａｄｉｏ ａｃｃｅｓｓ）又はＣＤＭＡ２０００のような無線技術（ｔｅｃｈｎｏｌｏｇｙ）によって具現することができる。ＴＤＭＡは、ＧＳＭ（登録商標）（Ｇｌｏｂａｌ Ｓｙｓｔｅｍ ｆｏｒ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＥＤＧＥ（Ｅｎｈａｎｃｅｄ Ｄａｔａ Ｒａｔｅｓ ｆｏｒ ＧＳＭ（登録商標）Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）の一部であり、３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（Ｌｏｎｇ Ｔｅｒｍ Ｅｖｏｌｕｔｉｏｎ）は、Ｅ−ＵＴＲＡを用いるＥ−ＵＭＴＳの一部である。３ＧＰＰ ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ ＬＴＥの進化した形態である。説明の便宜のために、以下では、本発明が３ＧＰＰ ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ ＬＴＥ／ＬＴＥ−Ａシステムに対応する移動通信システムに基づいて説明されても、３ＧＰＰ ＬＴＥ／ＬＴＥ−Ａ特有の事項以外は、他の任意の移動通信システムにも適用可能である。
【００３６】
例えば、本発明は、３ＧＰＰ ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ ｂａｓｅｄ）通信だけでなく、Ｗｉ−Ｆｉのような競合ベース（ｃｏｎｔｅｎｔｉｏｎ ｂａｓｅｄ）通信にも適用することができる。非−競合ベース通信技法は、接続ポイント（ａｃｃｅｓｓ ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ ｓｅｎｓｅ ｍｕｌｔｉｐｌｅ ａｃｃｅｓｓ、ＣＳＭＡ）がある。ＣＳＭＡとは、ノード或いは通信機器が周波数帯域（ｂａｎｄ）のような、共有送信媒体（ｓｈａｒｅｄ ｔｒａｎｓｍｉｓｓｉｏｎ ｍｅｄｉｕｍ）（共有チャネルともいう。）上でトラフィック（ｔｒａｆｆｉｃ）を送信する前に、同一のまま、共有送信媒体上に他のトラフィックがないことを確認する確率的（ｐｒｏｂａｂｉｌｉｓｔｉｃ）媒体接続制御（ｍｅｄｉａ ａｃｃｅｓｓ ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ｄｅｔｅｃｔｉｏｎ）及び／又はＣＳＭＡ／ＣＡ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ａｖｏｉｄａｎｃｅ）が用いられる。ＣＳＭＡ／ＣＤは、有線ＬＡＮ環境での衝突検出技法であり、イーサネット（登録商標）（ｅｔｈｅｒｎｅｔ）環境で通信をしようとするＰＣ（Ｐｅｒｓｏｎａｌ Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。即ち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ��信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、即ち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００３７】
後述する本発明の実施例において「仮定する」という表現は、チャネルを送信する主体が該当の「仮定」に符合するように上記チャネルを送信することを意味できる。上記チャネルを受信する主体は、上記チャネルが該当の「仮定」に符合するように送信されたという前提下に、該当の「仮定」に符合する形態で上記チャネルを受信或いは復号するものであることを意味できる。
【００３８】
本発明において、ＵＥは、固定していても移動性を有してもよく、基地局（ｂａｓｅ ｓｔａｔｉｏｎ、ＢＳ）と通信してユーザデータ及び／又は各種制御情報を送受信する各種機器がこれに属する。ＵＥは、端末（Ｔｅｒｍｉｎａｌ Ｅｑｕｉｐｍｅｎｔ）、ＭＳ（Ｍｏｂｉｌｅ Ｓｔａｔｉｏｎ）、ＭＴ（Ｍｏｂｉｌｅ Ｔｅｒｍｉｎａｌ）、ＵＴ（Ｕｓｅｒ Ｔｅｒｍｉｎａｌ）、ＳＳ（Ｓｕｂｓｃｒｉｂｅ Ｓｔａｔｉｏｎ）、無線機器（ｗｉｒｅｌｅｓｓ ｄｅｖｉｃｅ）、ＰＤＡ（Ｐｅｒｓｏｎａｌ Ｄｉｇｉｔａｌ Ａｓｓｉｓｔａｎｔ）、無線モデム（ｗｉｒｅｌｅｓｓ ｍｏｄｅｍ）、携帯機器（ｈａｎｄｈｅｌｄ ｄｅｖｉｃｅ）などと呼ぶことができる。また、本発明において、ＢＳは、一般に、ＵＥ及び／又は他のＢＳと通信する固定局（ｆｉｘｅｄ ｓｔａｔｉｏｎ）のことをいい、ＵＥ及び他のＢＳと通信して各種データ及び制御情報を交換する。ＢＳは、ＡＢＳ（Ａｄｖａｎｃｅｄ Ｂａｓｅ Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ Ｔｒａｎｓｃｅｉｖｅｒ Ｓｙｓｔｅｍ）、接続ポイント（Ａｃｃｅｓｓ Ｐｏｉｎｔ）、ＰＳ（Ｐｒｏｃｅｓｓｉｎｇ Ｓｅｒｖｅｒ）等の他の用語と呼ぶこともできる。上記本発明において、ＢＳはｅＮＢと呼ばれることができる。
【００３９】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ ｒｅｍｏｔｅ ｈｅａｄ、ＲＲＨ）、無線リモートユニット（ｒａｄｉｏ ｒｅｍｏｔｅ ｕｎｉｔ、ＲＲＵ）とすることもできる。ＲＲＨ、ＲＲＵなどは、一般に、ｅＮＢの電力レベル（ｐｏｗｅｒ ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００４０】
本発明でいうセル（ｃｅｌｌ）とは、１つ以上のノードが通信サービスを提供する一定の地理的領域を指す。従って、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ ｃｅｌｌ）という。
【００４１】
一方、３ＧＰＰ ＬＴＥ／ＬＴＥ−Ａシステムは、無線リソースを管理するためにセル（ｃｅｌｌ）の概念を用いているが、無線リソースと関連付く（ｃｅｌｌ）は、地理的領域のセル（ｃｅｌｌ）と区別される。
【００４２】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。
【００４３】
一方、３ＧＰＰ ＬＴＥ−Ａ標準は無線リソースを管理するためにセル（ｃｅｌｌ）の概念を使用する。無線リソースと関連付く“セル”とは、下りリンクリソース（ＤＬ ｒｅｓｏｕｒｃｅｓ）と上りリンクリソース（ＵＬ ｒｅｓｏｕｒｃｅｓ）との組合せ、即ち、ＤＬ ＣＣとＵＬ ＣＣの組合せと定義される。セルは、ＤＬリソース単独、又はＤＬリソースとＵＬリソースとの組合せで設定する（ｃｏｎｆｉｇｕｒｅ）ことができる。搬送波集約が支援される場合、ＤＬリソース（又は、ＤＬ ＣＣ）の搬送波周波数（ｃａｒｒｉｅｒ ｆｒｅｑｕｅｎｃｙ）とＵＬリソース（又は、ＵＬ ＣＣ）の搬送波周波数（ｃａｒｒｉｅｒ ｆｒｅｑｕｅｎｃｙ）間のリンケージ（ｌｉｎｋａｇｅ）をシステム情報によって示すことができる。例えば、システム情報ブロックタイプ２（Ｓｙｓｔｅｍ Ｉｎｆｏｒｍａｔｉｏｎ Ｂｌｏｃｋ Ｔｙｐｅ ２；ＳＩＢ２）リンケージ（ｌｉｎｋａｇｅ）によってＤＬリソースとＵＬリソースとの組合せを示すことができる。ここで、搬送波周波数とは、各セル或いはＣＣの中心周波数（ｃｅｎｔｅｒ ｆｒｅｑｕｅｎｃｙ）を意味する。以下では、１次周波数（ｐｒｉｍａｒｙ ｆｒｅｑｕｅｎｃｙ）上で動作するセルを１次セル（ｐｒｉｍａｒｙ ｃｅｌｌ；Ｐｃｅｌｌ）或いはＰＣＣと呼び、２次周波数（Ｓｅｃｏｎｄａｒｙ ｆｒｅｑｕｅｎｃｙ）（又は、ＳＣＣ）上で動作するセルを２次セル（ｓｅｃｏｎｄａｒｙ ｃｅｌｌ；Ｓｃｅｌｌ）或いはＳＣＣと呼ぶ。下りリンクにおいてＰｃｅｌｌに対応する搬送波を下りリンク１次ＣＣ（ＤＬ ＰＣＣ）と称し、上りリンクにおいてＰｃｅｌｌに対応する搬送波を上りリンク１次ＣＣ（ＤＬ ＰＣＣ）と称する。Ｓｃｅｌｌとは、ＲＲＣ（Ｒａｄｉｏ Ｒｅｓｏｕｒｃｅ Ｃｏｎｔｒｏｌ）接続樹立（ｃｏｎｎｅｃｔｉｏｎ  ｅｓｔａｂｌｉｓｈｍｅｎｔ）の後に設定可能であり、追加の無線リソースを提供のために利用できるセルを意味する。ＵＥの性能（ｃａｐａｂｉｌｉｔｉｅｓ）によって、ＳｃｅｌｌがＰｃｅｌｌと共に、上記ＵＥのためのサービングセルのセット（ｓｅｔ）を形成することができる。下りリンクにおいてＳｃｅｌｌに対応する搬送波を下りリンク２次ＣＣ（ＤＬ ＳＣＣ）と称し、上りリンクにおいて上記Ｓｃｅｌｌに対応する搬送波を上りリンク２次ＣＣ（ＵＬ ＳＣＣ）と称する。ＲＲＣ＿ＣＯＮＮＥＣＴＥＤ状態であるが、搬送波集成が設定されていないか或いは搬送波集成を支援しないＵＥの場合、Ｐｃｅｌｌだけで設定されたサービングセルがただ一つ存在する。
【００４４】
本発明において、“物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)”は、ＰＤＣＣＨ、(設定された場合、サブフレームにおいて)ＥＰＤＣＣＨ(ｅｎｈａｎｃｅｄ ＰＤＣＣＨ)、ＭＴＣ ＰＤＣＣＨ(ＭＡＣｈｉｎｅ ｔｙｐｅ ｃｏｍｍｕｎｉｃａｔｉｏｎ ＰＤＣＣＨ、ＭＰＤＣＣＨ)、Ｒ−ＰＤＣＣＨ(ｒｅｌａｙ ＰＤＣＣＨ)が設定されており、中止していないリレーノード(ｒｅｌａｙ ｎｏｄｅ、ＲＮ)の場合には、Ｒ−ＰＤＣＣＨに、又は狭帯域モノのインターネット(ｎａｒｒｏｗｂａｎｄ Ｉｎｔｅｒｎｅｔ ｏｆ ｔｈｉｎｇｓ、ＮＢ−ＩｏＴ)については狭帯域ＰＤＣＣＨ(ｎａｒｒｏｗｂａｎｄ ＰＤＣＣＨ、ＮＢＰＤＣＣＨ)を意味する。
【００４５】
本発明において、二重連結動作について“特別のセル(Ｓｐｅｃｉａｌ Ｃｅｌｌ)”という用語は、マスターセルグループ(ｍａｓｔｅｒ ｃｅｌｌ ｇｒｏｕｐ、ＭＣＧ)のＰＣｅｌｌや２次セルグループ(Ｓｅｃｏｎｄａｒｙ ｃｅｌｌ ｇｒｏｕｐ、ＳＣＧ)のＰＣｅｌｌを称し、それ以外の場合、特別のセルはＰＣｅｌｌを称する。ＭＣＧは少なくともＳ１−ＭＭＥを終了するＭｅＮＢに連関するサービングセルのグループであり、ＳＣＧはＵＥにさらなる無線リソースを提供するものの、ＭｅＮＢではないＳｅＮＢに連関したサービングセルのグループである。ＳＣＧは１次ＳＣｅｌｌ(ｐｒｉｍａｒｙ ＳＣｅｌｌ、ＰＳＣｅｌｌ)及び選択的に１つ以上のＳＣｅｌｌで構成される。二重連結では、２つのＭＡＣエンティティーがＵＥに設定されるので、１つはＭＣＧのために、他の１つはＳＣＧのために設定される。ＲＲＣにより各々のＭＡＣエンティティーはＰＵＣＣＨ送信と競争方式のランダム接続(ｃｏｎｔｅｎｔｉｏｎ ｂａｓｅｄ ｒａｎｄｏｍ ａｃｃｅｓｓ)を支援するサービングセルを有するように設定される。この明細書において、ＳＰＣｅｌｌという用語はこのようなセルを意味し、反面ＳＣｅｌｌはそれ以外のサービングセルを意味する。ＳＰＣｅｌｌという用語は、ＭＡＣエンティティーがＭＣＧに連関するか、それともＳＣＧに連関するかによって、ＭＣＧのＰＣｅｌｌ又はＳＣＧのＰＳＣｅｌｌを示す。
【００４６】
本発明において、“Ｃ−ＲＮＴＩ”はセルＲＮＴＩを示し、“Ｇ−ＲＮＴＩ”はグループＲＴＮＩを示し、“Ｐ−ＲＮＴＩ”はページングＲＮＴＩを示し、“ＲＡ−ＲＮＴＩ”はランダム接続ＲＮＴＩを示し、“ＳＣ−ＲＮＴＩ”は単一セルＲＮＴＩを示し、“ＳＬ−ＲＮＴＩ”はサイドリンクＲＮＴＩを示し、また“ＳＰＳ Ｃ−ＲＮＴＩ”は準−持続的(Ｓｅｍｉ−ｐｅｒｓｉｓｔｅｎｔ)スケジューリングＣ−ＲＮＴＩを示す。
【００４７】
本発明で使用する用語及び技術のうち、具体的に説明されていない用語及び技術については、３ＧＰＰ ＬＴＥ／ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６．３００、３ＧＰＰ ＴＳ ３６．３２１、３ＧＰＰ ＴＳ ３６．３２２、３ＧＰＰ ＴＳ ３６．３２３及び３ＧＰＰ ＴＳ ３６．３３１を参照できる。
【００４８】
図２はＥ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。Ｅ−ＵＭＴＳはＬＴＥシステムとも呼ばれる。通信ネットワークはＩＭＳ及びパケットデータを通じたＶｏＩＰ(Ｖｏｉｃｅ ｏｖｅｒ ＩＰ)のような様々なサービスを提供するために広く配置される。
【００４９】
図２に示したように、Ｅ−ＵＭＴＳネットワークはＥ−ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(ｅｖｏｌｖｅｄ Ｐａｃｋｅｔ ｃｏｒｅ)及び１つ以上のＵＥを含む。Ｅ−ＵＴＲＡＮは１つのセルに位置可能な１つ以上のｅＮＢ(ｅｖｏｌｖｅｄ ＮｏｄｅＢ)２０及び複数のＵＥ１０を含む。一つ以上のＥ―ＵＴＲＡＮ ＭＭＥ（Ｍｏｂｉｌｉｔｙ Ｍａｎａｇｅｍｅｎｔ Ｅｎｔｉｔｙ）／ＳＡＥ(Ｓｙｓｔｅｍ Ａｒｃｈｉｔｅｃｔｕｒｅ Ｅｖｏｌｕｔｉｏｎ）ゲートウェイ３０は、ネットワークの終端に位置し、外部ネットワークに接続することもできる。
【００５０】
本明細書において、「下りリンク（ｄｏｗｎｌｉｎｋ）」は、ｅＮＢ２０からUE１０への通信を称し、「上りリンク（ｕｐｌｉｎｋ）」は、UE１０からｅＮＢ２０への通信を称する。 
【００５１】
図３は、一般的なＥ―ＵＴＲＡＮと一般的なＥＰＣの構造を示すブロック図である。
【００５２】
図３に示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００５３】
ｅＮＢ２０は、一般にＵＥ１０と通信する固定局であって、基地局（ＢＳ）又はアクセスポイント（ａｃｃｅｓｓ ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００５４】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ ｍｏｄｅ）ＵＥ接近性（Ｒｅａｃｈａｂｉｌｉｔｙ）、（遊休モード及び活性モード（ａｃｔｉｖｅ ｍｏｄｅ）のＵＥのための）トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ Ｉｎｔｅｒｃｅｐｔｉｏｎ）、ＵＥ ＩＰアドレス割当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００５５】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ ｎｅｔｗｏｒｋ ｓｔｒｕｃｔｕｒｅ）を有することができる。
【００５６】
図３に示したように、ｅＮＢ２０は、ゲートウェイ３０に対する選択、無線リソース制御（Ｒａｄｉｏ Ｒｅｓｏｕｒｃｅ Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割当て、ｅＮＢ測定の構成及び準備、無線ベアラ制御、無線承認制御（Ｒａｄｉｏ Ａｄｍｉｓｓｉｏｎ Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ Ａｒｃｈｉｔｅｃｔｕｒｅ Ｅｖｏｌｕｔｉｏｎ、ＳＡＥ）ベアラ制御、及び非―接続層（Ｎｏｎ―Ａｃｃｅｓｓ Ｓｔｒａｔｕｍ、ＮＡＳ）シグナリングの暗号化及び完全性保護などの各機能を行うことができる。
【００５７】
ＥＰＣは、移動性管理エンティティ（Ｍｏｂｉｌｉｔｙ Ｍａｎａｇｅｍｅｎｔ Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ Ｄａｔａ Ｎｅｔｗｏｒｋ―Ｇａｔｅｗａｙ、ＰＤＮ―ＧＷ）を含む。ＭＭＥは主にＵＥの移動性を管理する目的で用いられる連結及び可用性に関する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００５８】
図４は、３ＧＰＰ無線接続網規格に基づくUEとＥ―ＵＴＲＡＮとの間の無線インターフェースプロトコルの制御平面及びユーザ平面の構造を示す図である。制御平面は、端末（Ｕｓｅｒ Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００５９】
ＬＴＥ／ＬＴＥ−Ａシステムの階層１（即ち、Ｌ１）は物理階層に相当する。第１階層（即ち、階層１又はＬ１）である物理階層は物理チャネル（ｐｈｙｓｉｃａｌ ｃｈａｎｎｅｌ）を用いて上位階層に情報送信サービス（ｉｎｆｏｒｍａｔｉｏｎ ｔｒａｎｓｆｅｒ ｓｅｒｖｉｃｅ）を提供する。物理層は、上位にある媒体接続制御（Ｍｅｄｉｕｍ ａｃｃｅｓｓ Ｃｏｎｔｒｏｌ）層とは送信チャネル（Ｔｒａｎｓｐｏｒｔ Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ Ｆｒｅｑｕｅｎｃｙ ｄｉｖｉｓｉｏｎ Ｍｕｌｔｉｐｌｅ ａｃｃｅｓｓ）方式で変調され、上りリンクでＳＣ―ＦＤＭＡ（Ｓｉｎｇｌｅ Ｃａｒｒｉｅｒ Ｆｒｅｑｕｅｎｃｙ ｄｉｖｉｓｉｏｎ Ｍｕｌｔｉｐｌｅ ａｃｃｅｓｓ）方式で変調される。
【００６０】
ＬＴＥ／ＬＴＥ−Ａシステムの階層２（即ち、Ｌ２）は次のサブ階層に分けられる：媒体接続制御（Ｍｅｄｉｕｍ ａｃｃｅｓｓ Ｃｏｎｔｒｏｌ、ＭＡＣ）、無線リンク制御（Ｒａｄｉｏ Ｌｉｎｋ Ｃｏｎｔｒｏｌ、ＲＬＣ）及びパケットデータ収斂プロトコル（Ｐａｃｋｅｔ Ｄａｔａ Ｃｏｎｖｅｒｇｅｎｃｅ Ｐｒｏｔｏｃｏｌ、ＰＤＣＰ）物理階層に相当する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ Ｄａｔａ Ｃｏｎｖｅｒｇｅｎｃｅ Ｐｒｏｔｏｃｏｌ）層は、帯域幅の狭い無線インターフェースでＩＰバージョン４（ＩＰ ｖｅｒｓｉｏｎ ４、ＩＰｖ４）パケットやＩＰバージョン６（ＩＰｖ６）パケットのようなＩＰ（ｉｎｔｅｒｎｅｔ ｐｒｏｔｏｃｏｌ）パケットを効率的に送信するために不必要な制御情報を減少させるヘッダー圧縮（Ｈｅａｄｅｒ Ｃｏｍｐｒｅｓｓｉｏｎ）機能を行う。
【００６１】
ＬＴＥ／ＬＴＥ−Ａシステムの第３階層(Ｌａｙｅｒ３、Ｌ３)は無線リソース制御(ｒａｄｉｏ ｒｅｓｏｕｒｃｅ ｃｏｎｔｒｏｌ、ＲＲＣ)及び非接続層(ｎｏｎ ａｃｃｅｓｓ ｓｔｒａｔｕｍ、ＮＡＳ)サブ階層を含む。第３階層(即ち、Ｌ３階層)の最下位に位置する無線リソース制御(ｒａｄｉｏ ｒｅｓｏｕｒｃｅ ｃｏｎｔｒｏｌ、ＲＲＣ)階層は制御平面のみで定義される。ＲＲＣ層は、各無線ベアラ（Ｒａｄｉｏ Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、ＵＥのＲＲＣ階層とＥ−ＵＴＲＡＮのＲＲＣ階層はＲＲＣメッセージをやり取る。ＲＲＣ階層の上位に位置するＮＡＳ階層はセクション管理と移動性管理のような機能を行う。
【００６２】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００６３】
Ｅ―ＵＴＲＡＮから端末への送信のための下りリンク送信チャネル（Ｄｏｗｎｌｉｎｋ ｔｒａｎｓｐｏｒｔ Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ Ｃｈａｎｎｅｌ）、及びユーザトラフィック又は各制御メッセージを送信するための下りリンク共有チャネル（Ｓｈａｒｅｄ Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ Ｃｈａｎｎｅｌ）を介して送信することもできる。
【００６４】
端末からネットワークにデータを送信する上りリンク送信チャネルとしては、初期制御メッセージを送信するＲＡＣＨ（Ｒａｎｄｏｍ ａｃｃｅｓｓ Ｃｈａｎｎｅｌ）と、その他にユーザトラフィックや制御メッセージを送信する上りリンクＳＣＨ（Ｓｈａｒｅｄ Ｃｈａｎｎｅｌ）とがある。送信チャネルの上位にあり、送信チャネルにマップされる論理チャネルとしては、ＢＣＣＨ（Ｂｒｏａｄｃａｓｔ Ｃｏｎｔｒｏｌ Ｃｈａｎｎｅｌ）、ＰＣＣＨ（Ｐａｇｉｎｇ Ｃｏｎｔｒｏｌ Ｃｈａｎｎｅｌ）、ＣＣＣＨ（Ｃｏｍｍｏｎ Ｃｏｎｔｒｏｌ Ｃｈａｎｎｅｌ）、ＭＣＣＨ（Ｍｕｌｔｉｃａｓｔ Ｃｏｎｔｒｏｌ Ｃｈａｎｎｅｌ）、及びＭＴＣＨ（Ｍｕｌｔｉｃａｓｔ Ｔｒａｆｆｉｃ Ｃｈａｎｎｅｌ）などがある。
【００６５】
図５は、Ｅ―ＵＭＴＳシステムで使用する物理チャネル構造の一例を示した図である。物理チャネルは、時間軸上にある複数のサブフレームと、周波数軸上にある複数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ Ｄｏｗｎｌｉｎｋ Ｃｏｎｔｒｏｌ Ｃｈａｎｎｅｌ）、即ち、Ｌ１／Ｌ２制御チャネルのために該当のサブフレームの特定シンボル（例えば、１番目のシンボル）の特定サブキャリアを用いることができる。図５には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル（例えば、１番目のシンボル）は、Ｌ１／Ｌ２制御情報を送信するために使用することができる。 
【００６６】
無線フレームはデュプレックス（ｄｕｐｌｅｘ）モードによって異なるように設定（ｃｏｎｆｉｇｕｒｅ）され得る。例えば、ＦＤＤモードにおいて、下りリンク送信及び上りリンク送信は周波数によって区分されるため、無線フレームは特定の周波数帯域に対して下りリンクサブフレーム又は上りリンクサブフレームのいずれか一方だけを含む。ＴＤＤモードにおいて、下りリンク送信及び上りリンク送信は時間によって区分されるため、特定の周波数帯域に対して無線フレームは下りリンクサブフレーム及び上りリンクサブフレームの両方を含む。
【００６７】
サブフレームを送信するための時間は送信時間間隔（ｔｒａｎｓｍｉｓｓｉｏｎ ｔｉｍｅ  ｉｎｔｅｒｖａｌ；ＴＴＩ）と定義される。時間リソースは、無線フレーム番号（或いは無線フレームインデックスともいう。）、サブフレーム番号（或いは、サブフレーム番号ともいう。）、スロット番号（或いはスロットインデックスともいう。）などによって区分することができる。ＴＴＩとは、データがスケジューリングされ得る間隔を意味する。例えば、現在ＬＴＥ／ＬＴＥ−ＡシステムにおいてＵＬグラント或いはＤＬグラントの送信機会は１ｍｓごとに存在し、１ｍｓより短い時間内にはＵＬ／ＤＬグラント機会が複数回存在しない。従って、現在ＬＴＥ／ＬＴＥ−ＡシステムにおいてＴＴＩは１ｍｓである。
【００６８】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００６９】
例えば、特定のＰＤＣＣＨが"Ａ"というＲＮＴＩ(Ｒａｄｉｏ Ｎｅｔｗｏｒｋ Ｔｅｍｐｏｒａｒｙ Ｉｄｅｎｔｉｔｙ)にＣＲＣマスキング(ｍａｓｋｉｎｇ)されており、"Ｂ"という無線リソース(例えば、周波数位置)及び"Ｃ"という送信形式情報(例えば、輸送ブロックサイズ、変調方式、コーディング情報など)を用いて送信されるデータに関する情報が特定のサブフレームにより送信されると仮定する。その後、セルにいる１つ以上のＵＥは自分のＲＮＴＩ情報を用いてＰＤＣＣＨをモニタリングする。また、ＲＮＴＩ“Ａ”を有する特定のＵＥは、ＰＤＣＣＨを読み出してＰＤＣＣＨ情報にいるＢとＣにより指示されるＰＤＳＣＨを受信する。
【００７０】
ＵＥは電源を入れたり新しくセルに接続したりした場合に、セルとの時間及び周波数同期を得、セルの物理階層セル識別子(ｐｈｙｓｉｃａｌ ｌａｙｅｒ ｃｅｌｌ ｉｄｅｎｔｉｔｙ)ＮｃｅｌｌＩＤを検出するなどのセル探索(ｉｎｉｔｉａｌ ｃｅｌｌ ｓｅａｒｃｈ)過程を行う。このために、ＵＥはｅＮＢから同期信号、例えば、１次同期信号(Ｐｒｉｍａｒｙ Ｓｙｎｃｈｒｏｎｉｚａｔｉｏｎ Ｓｉｇｎａｌ、ＰＳＳ)及び２次同期信号(Ｓｅｃｏｎｄａｒｙ Ｓｙｎｃｈｒｏｎｉｚａｔｉｏｎ Ｓｉｇｎａｌ、ＳＳＳ)を受信して、ｅＮＢと同期を合わせ、セル識別子(ｉｄｅｎｔｉｔｙ、ＩＤ)などの情報を得る。初期セル探索を終えたＵＥは、ｅＮＢへの接続を完了するために、任意接続過程(ｒａｎｄｏｍ ａｃｃｅｓｓ ｐｒｏｃｅｄｕｒｅ)を行う。このために、ＵＥは物理任意接続チャネル(ｐｈｙｓｉｃａｌ ｒａｎｄｏｍ ａｃｃｅｓｓ ｃｈａｎｎｅｌ、ＰＲＡＣＨ)を介してプリアンブルを送信し、ＰＤＣＣＨ及びＰＤＳＣＨを介してプリアンブルに対する応答メッセージを受信する。競争基盤のランダム接続である場合、さらなるＰＲＡＣＨの送信と、ＰＤＣＣＨ及びＰＤＣＣＨに対応するＰＤＳＣＨのための競争解決手順(ｃｏｎｔｅｎｔｉｏｎ ｒｅｓｏｌｕｔｉｏｎ ｐｒｏｃｅｄｕｒｅ)を行うことができる。このような手順を行ったＵＥは、その後、一般的な上／下りリンク信号の送信手順としてＰＤＣＣＨ／ＰＤＳＣＨ受信及びＰＵＳＣＨ／ＰＵＣＣＨ送信を行う。
【００７１】
また任意接続手順は、任意接続チャネル(ｒａｎｄｏｍ Ａｃｃｅｓｓ ｃｈａｎｎｅｌ、ＲＡＣＨ)手順とも呼ぶ。任意接続手順はＦＤＤとＴＤＤに共通する手順であり、搬送波集成(ｃａｒｒｉｅｒ ａｇｇｒｅｇａｔｉｏｎ、ＣＡ)が設定される場合、セルのサイズとサービングセルの数とは関係ない手順である。任意接続手順は初期接続、上りリンク同期調整、リソース割り当て及びハンドオーバーを含む様々な目的のために使用される。任意接続手順は競争方式手順と専用方式(即ち、非競争方式)手順とに区分される。競争方式の任意接続手順は、初期接続を含む一般的な動作のために用いられ、専用方式の任意接続手順は、ハンドオーバーのように限定された動作のために使用される。競争方式の任意接続手順において、端末は任意にＲＡＣＨプリアンブルシーケンスを選択する。よって、多数の端末が同一のＲＡＣＨプリアンブルを同時に送信する可能性がある。よって、その後に競争解決手順を行う必要がある。なお、専用方式の任意接続手順において、端末は基地局が端末に固有に割り当てるＲＡＣＨプリアンブルシーケンスを使用する。従って、任意接続手順は他の端末と競争せず行われることができる。
【００７２】
次いで、端末のＲＲＣ状態について説明する。端末のＲＲＣ階層と無線ネットワークのＲＲＣ階層の間にＲＲＣ連結が設定されると、端末はＲＲＣ_ＣＯＮＮＥＣＴＥＤ状態になる。そうではない場合、端末はＲＲＣ_ＩＤＬＥ状態である。ＲＲＣ状態とは、端末のＲＲＣがＥ−ＵＴＲＡＮのＲＲＣと論理的に連結されるか又は連結されていない状態をいう。Ｅ−ＵＴＲＡＮのＲＲＣと論理的な連結を有する端末のＲＲＣ状態をＲＲＣ_ＣＯＮＮＥＣＴＥＤ状態という。Ｅ−ＵＴＲＡＮのＲＲＣと論理的連結を有しない端末のＲＲＣ状態をＲＲＣ_ＩＤＬＥ状態という。ＲＲＣ_ＣＯＮＮＥＣＴＥＤ状態の端末はＲＲＣ連結を有するので、Ｅ−ＵＴＲＡＮはセル単位で端末の存在を認識できる。従って、端末が効率的に制御される。なお、Ｅ−ＵＴＲＡＮはＲＲＣ_ＩＤＬＥである端末の存在は認識できない。ＲＲＣ_ＩＤＬＥである端末はセルより大きい領域単位のトラッキング領域(ｔｒａｃｋｉｎｇ ａｒｅａ、ＴＡ)においてコアネットワークにより管理される。即ち、ＲＲＣ_ＩＤＬＥである端末について、端末の存在又は部材はセルより大きい領域単位で認識される。ＲＲＣ_ＩＤＬＥである端末に、音声サービス及びデータサービスのような一般的な移動通信サービスが提供されるためには、端末がＲＲＣ_ＣＯＮＮＥＣＴＥＤ状態に遷移する必要がある。ＴＡは自分のトラッキング領域識別子(ｔｒａｃｋｉｎｇ ａｒｅａ ｉｄｅｎｔｉｔｙ、ＴＡＩ)により他のＴＡとは区別される。端末はセルで放送される情報であるトラッキング領域コードによりＴＡＩを設定できる。ユーザが最初に端末をオンにする時、端末はまず適切なセルを探索する。その後、端末はセルでＲＲＣ連結を設定し、コアネットワークに自分の情報を登録する。その後、端末はＲＲＣ_ＩＤＬＥ状態に留まる。必要時、ＲＲＣ_ＩＤＬＥ状態の端末はセルを(再)選択し、システム情報やページング情報を確認する。かかる動作をセルキャップ(ｃａｍｐｉｎｇ ｏｎ ａ ｃｅｌｌ)という。ＲＲＣ_ＩＤＬＥ状態の端末がＲＲＣ連結を設定する必要がある時にのみ、端末がＲＲＣ連結手順によりＥ−ＵＴＲＡＮのＲＲＣ階層とＲＲＣ連結を設定してＲＲＣ_ＣＯＮＮＥＣＴＥＤ状態に遷移することではない。通常、ＲＲＣ_ＩＤＬＥ状態の端末がＲＲＣ連結を設定する必要がある。例えば、上記場合にはユーザの通話試み、データ送信試み又はＥ−ＵＴＲＡＮからページングメッセージの受信後、応答メッセージの送信が含まれることができる。
【００７３】
ＲＲＣ階層はＰＬＭＮ選択、ＮＡＳにより設定されたＤＲＸ、システム情報放送、ページング、セル再選択のためにＲＲＣ_ＩＤＬＥ状態を用いる。ＲＲＣ_ＩＤＬＥＮの端末について、端末の特定のＤＲＸがＮＡＳにより設定されることができる(ＮＢ−ＩｏＴには適用されない)。ＲＲＣ_ＩＤＬＥの端末は端末制御移動性(ＵＥ ｃｏｎｔｒｏｌｌｅｄ ｍｏｂｉｌｉｔｙ)を行うことができる。ＲＲＣ_ＩＤＬＥの端末は受信通話、システム情報の変化、地震と津波警告システム(ｅａｒｔｈｑｕａｋｅ ａｎｄ ｔｓｕｎａｍｉ ｗａｒｎｉｎｇ ｓｙｓｔｅｍ ＥＴＷＳ)可能端末に対するＥＴＷＳ通知、そして常用移動性警告のサービス(ｃｏｍｍｅｒｃｉａｌ ｍｏｂｉｌｉｔｙ ａｌｅｒｔ ｓｅｒｖｉｃｅ、ＣＭＡＳ)可能端末に対するＣＭＡＳ通知を検出するために、ページングチャネルをモニタリングし、隣接セルの測定及びセル(再)選択を行い、システム情報を得て、ローギングされた測定が設定された端末に対する位置及び時間と共に利用可能な測定のローギングを行う。(再開手順のためにコンテキストが貯蔵可能なユーザ平面ＣＩｏＴ ＥＰＳの最適化を支援する端末以外には)ＲＲＣコンテキストが基地局に貯蔵されず、サイドリンク通信送受信及び／又はサイドリンク発見宣言及びモニタリングが行われない。
【００７４】
ＲＲＣ_ＣＯＮＮＥＣＴＥＤの端末は、Ｅ−ＵＴＲＡＮ-ＲＲＣ連結及びＥ−ＵＴＲＡＮにコンテキストを有する。ＲＲＣ_ＣＯＮＮＥＣＴＥＤの端末は、ネットワーク制御移動性(ｎｅｔｗｏｒｋ ｃｏｎｔｒｏｌｌｅｄ ｍｏｂｉｌｉｔｙ)(ＮＡＣＣによりＧＥＲＡＮへのハンドオーバー及びＲＡＴ間の(ｉｎｔｅｒ−ＲＡＴ)セル変更指示)、隣接セルの測定を行うことができる。Ｅ−ＵＴＲＡＮはＲＲＣ_ＣＯＮＮＥＣＴＥＤである端末が属するセルを知っており、サイドリンク通信送受信及び／又はサイドリンク発見宣言及びモニタリングが行われる。ネットワークはＲＲＣ_ＣＯＮＮＥＣＴＥＤである端末とデータを送受信できる。ＰＤＣＰ／ＲＬＣ／ＭＡＣレベルにおいて、ＲＲＣ_ＣＯＮＮＥＣＴＥＤの端末はネットワークとデータを送受信でき；共有データチャネル上の送信が端末に割り当てられたか否かを調べるために共有データチャネルのための制御シグナリングチャネルをモニタリングし；基地局にチャネルの品質情報とフィードバック情報を報告する。ＲＲＣ_ＣＯＮＮＥＣＴＥＤにおいて、端末電力節減と効率的なリソースの利用のために、基地局の制御下で端末の活動レベルによってＤＲＸ周期が設定されることができる。ＲＲＣ_ＣＯＮＮＥＣＴＥＤの端末はシステム情報変更、ＥＴＷＳ可能端末のためのＥＴＷＳ通知、及びＣＭＡＳ可能端末のためのＣＭＡＳ通知を探索するために、ページングチャネル及び／又はシステム情報ブロック類型１(ｓｙｓｔｅｍ ｉｎｆｏｒｍａｔｉｏｎ ｂｌｏｃｋ ｔｙｐｅ １)コンテンツをモニタリングし(ＮＢ−ＩｏＴには適用されない)；データが端末にスケジュールされたか否かを決定するために共有データチャネルに関連する制御チャネルをモニタリングし；チャネル品質及びフィードバック情報を提供し(ＮＢ−ＩｏＴには適用されない)；隣接セルの測定及び測定報告を行い(ＮＢ−ＩｏＴには適用されない)；またシステム情報を得る。３ＧＰＰ ＴＳ ３６.３３１を参照すると、ＲＲＣ_ＣＯＮＮＥＣＴＥＤから離れると、端末は以下を実行する。
【００７５】
１＞ＭＡＣをリセットする；
【００７６】
１＞Ｔ３２０、Ｔ３２５及びＴ３３０以外の動作中の全てのタイマを中断する;
【００７７】
１＞ＲＲＣの一時中断によりＲＲＣ_ＣＯＮＮＥＣＴＥＤ解除がトリガーされる場合：
【００７８】
２＞全てのＳＲＢとＤＲＢに対してＲＬＣエンティティー(ｅｎｔｉｔｙ)を再設定する；
【００７９】
２＞現在のＲＲＣ設定、現在の保安コンテキスト、ＲＯＨＣ状態を含むＰＤＣＰ状態、ソースＰＣｅｌｌで使用されるＣ−ＲＮＴＩ、ソースＰＣｅｌｌのｃｅｌｌＩｄｅｎｔｉｔｙと物理的セル識別子を含む端末ＡＳコンテキストを貯蔵する；
【００８０】
２＞Ｅ−ＵＴＲＡＮが提供する次の情報を貯蔵する：
【００８１】
３＞ｒｅｓｕｍｅＩｄｅｎｔｉｔｙ;
【００８２】
２＞全てのＳＲＢ(ｓ)とＤＲＢ(ｓ)を中断する；
【００８３】
２＞ＲＲＣ連結の一時中断を上位階層に知らせる；
【００８４】
１＞それ以外の場合：
【００８５】
２＞設定された全てのＲＢに対してＲＬＣエンティティーの解除、ＭＡＣ設定、また関連ＰＤＣＰエンティティーを含む全ての無線リソースを解除する;
【００８６】
２＞解除の原因と共にＲＲＣ連結の解除を上位階層に知らせる；
【００８７】
１＞ＭｏｂｉｌｉｔｙＦｒｏｍＥＵＴＲＡＣｏｍｍａｎｄメッセージ受信やＴ３１１動作中のＲＡＴ間のセル選択によってＲＲＣ_ＣＯＮＮＥＣＴＥＤ解除がトリガーされたことではない場合：
【００８８】
２＞タイマＴ３５０が設定された場合：
【００８９】
３＞タイマＴ３５０を開始する；
【００９０】
３＞ｒｃ／ｖＷ−Ｃｏｎｆｉｇｕｒａｔｉｏｎが設定された場合は、それを適用し、そうではないと、ＳｙｓｔｅｍＩｎｆｏｒｍａｔｉｏｎＢｌｏｃｋＴｙｐｅ１７に含まれた、ＲＰＬＭＮに該当するｗｌａｎ−Ｉｄ−Ｌｉｓｔを適用する;
【００９１】
２＞それ以外の場合：
【００９２】
３＞ｗｌａｎ−ＯｆｆｌｏａｄＣｏｎｆｉｇＤｅｄｉｃａｔｅｄを受信した場合は、それを解除する;
【００９３】
３＞ＲＰＬＭＮに該当するｗｌａｎ−ＯｆｆｌｏａｄＣｏｎｆｉｇＣｏｍｍｏｎがセルにより放送される場合：
【００９４】
４＞ＳｙｓｔｅｍＩｎｆｏｒｍａｔｉｏｎＢｌｏｃｋＴｙｐｅ１７に含まれた、ＲＰＬＭＮに該当するｗｌａｎ−ＯｆｆｌｏａｄＣｏｎｆｉｇＣｏｍｍｏｎを適用する;
【００９５】
４＞ｓｔｅｅｒＴｏＷＬＡＮが設定された場合は、それを適用し、そうではないと、ＳｙｓｔｅｍＩｎｆｏｒｍａｔｉｏｎＢｌｏｃｋＴｙｐｅ１７に含まれた、ＲＰＬＭＮに該当するｗｌａｎ−Ｉｄ−Ｌｉｓｔを適用する；
【００９６】
２＞ＲＲＣ_ＩＤＬＥに進入して３ＧＰＰ ＴＳ ３６.３０４に明示された手順を行う;
【００９７】
１＞それ以外の場合：
【００９８】
２＞ｗｌａｎ−ＯｆｆｌｏａｄＣｏｎｆｉｇＤｅｄｉｃａｔｅｄを受信した場合は、それを解除する;
【００９９】
１＞ＬＷＡ設定が設定された場合は、ＬＷＡ設定の解除を上位階層に知らせる；
【０１００】
１＞ＬＷＩＰ設定が設定された場合は、それを解除する。
【０１０１】
３ＧＰＰ ＴＳ ３６.３２１を参照すると、上位階層(例えば、ＲＲＣ階層)がＭＡＣエンティティーのリセットを要求すると、ＭＡＣエンティティーは各論理チャネルに対するＢｊを０に初期化し；(動作している場合)全てのタイマを停止し；全てのｔｉｍｅＡｌｉｇｎｍｅｎｔＴｉｍｅｒが満了したと見なして該当動作を行い；全ての上りリンクＨＡＲＱプロセスについて新しいデータ指示子(ｎｅｗ ｄａｔａ ｉｎｄｉｃａｔｏｒ、ＮＤＩ)を０値に設定し；進行中のＲＡＣＨ手順があれば、その手順を中断して；明示的にシグナリングされたｒａ−ＰｒｅａｍｂｌｅＩｎｄｅｘ及びｒａ−ＰＲＡＣＨ−ＭａｓｋＩｎｄｅｘがあれば、それを廃棄し；Ｍｓｇ３バッファをフラッシュし；トリガーされたスケジューリング要求(ｓｃｈｅｄｕｌｉｎｇ Ｒｅｑｕｅｓｔ)手順があればその手順を取り消し；トリガーされたバッファ状態報告手順があれば、その手順を取り消し；トリガーされた電力ヘッドローム(ｈｅａｄｒｏｏｍ)報告手順があれば、その手順を取り消し；全てのＤＬ ＨＡＲＱプロセスについてソフトバッファをフラッシュし；各々のＤＬ ＨＡＲＱプロセスについて、次に受信される送信ブロック(ｔｒａｎｓｐｏｒｔ ｂｌｏｃｋ、ＴＢ)の送信を初期送信と見なし；臨時Ｃ−ＲＮＴＩ(Ｔｅｍｐｏｒａｒｙ Ｃ−ＲＮＴＩ)があれば、それを解除する。
【０１０２】
従来のＬＴＥシステムでは、ｔｉｍｅＡｌｉｇｎｍｅｎｔＴｉｍｅｒの値は全端末に共通する無線リソース設定情報を含むシステム情報ブロックの類型２(ｓｙｓｔｅｍ ｉｎｆｏｒｍａｔｉｏｎ ｂｌｏｃｋ ｔｙｐｅ ２、ＳＩＢ２)により、又はＲＲＣ専用シグナリングにより提供される。ｔｉｍｅＡｌｉｇｎｍｅｎｔＴｉｍｅｒの値はサブフレーム数に提供される。
【０１０３】
ＲＲＣ_ＣＯＮＮＥＣＴＥＤにおいて、基地局はタイミングアドバンス(ｔｉｍｉｎｇ ａｄｖａｎｃｅ)の維持を担当する。(一般的に、同じ受信器が主管するサービングセルに該当する)同一のタイミングアドバンスが適用されるＵＬを有し、同一のタイミング基準セルを使用するサービングセルはタイミングアドバンスグループ(ｔｉｍｉｎｇ ａｄｖａｎｃｅ ｇｒｏｕｐ、ＴＡＧ)にグルーピングされる。言い換えれば、ＴＡＧはＲＲＣにより設定され、ＵＬが設定されたセルについて同一のタイミング基準セルと同一のＴＡ値を使用するサービングセルのグループである。各ＴＡＧは上りリンクが設定された少なくとも１つのサービングセルを含み、ＴＡＧへの各サービングセルマッピングはＲＲＣにより設定される。二重連結(ｄｕａｌ ｃｏｎｎｅｃｔｉｖｉｔｙ、ＤＣ)の場合、ＴＡＧは同一のＣＧに関連するセルのみを含み、ＴＡＧの最大数は８である。１次ＴＡＧ(ｐｒｉｍａｒｙ ＴＡＧ、ｐＴＡＧ)について、端末はマスターセルグループ(ｍａｓｔｅｒ ｃｅｌｌ ｇｒｏｕｐ、ＭＣＧ)のＰＣｅｌｌと２次セルグループ(ｓｅｃｏｎｄａｒｙ ｃｅｌｌ ｇｒｏｕｐ、ＳＣＧ)のＰＳＣｅｌｌをタイミング基準として使用する。２次ＴＡＧ(ｓｅｃｏｎｄａｒｙ ＴＡＧ、ｓＴＡＧ)において、端末はこのＴＡＧの活性化されたＳＣｅｌｌのうちの１つをタイミング基準セルとして使用できるが、不要な場合には変更してはいけない。例えば、ＤＲＸの場合、タイミングアドバンスが常に必ず維持されることではなく、ＭＡＣサブレイヤはＬ１が同期化されたか否か、また上りリンクで送信を開始するためにどの手順を使用するかを知っている。Ｌ１が非同期化された場合に限って、上りリンク送信はＰＲＡＣＨ上でのみ発生できる。ＴＡＧについて、ＵＬ同期化状態が“同期化”から“非同期化”に遷移する場合、ＴＡＧ特定のタイマの満了と非同期ハンドオーバーが含まれる。ＭＡＣエンティティーはタイミングアドバンスグループ(ＴＡＧ)ごとに設定可能なタイマｔｉｍｅＡｌｉｇｎｍｅｎｔＴｉｍｅｒを有する。ｔｉｍｅＡｌｉｇｎｍｅｎｔＴｉｍｅｒは、ＭＡＣエンティティーが関連ＴＡＧに属するサービングセルが上りリンク時間整列されたと見なす期間を制御するために使用される。ＭＣＧのｐＴＡＧに関連するタイマの値は端末特定的であり、端末と基地局の間の適用シグナリングにより管理されるか、又はセル特定的でありかつ放送される情報により指示される。この２つの場合、基地局がｐＴＡＧについて新しいタイミングアドバンスを提供する度に、おおよそタイマが再開始される。ＳＣＧのｐＴＡＧに関連するタイマの値とＭＣＧのsＴＡＧ又はＳＣＧのsＴＡＧに関連するタイマ値は端末と基地局の間の専用シグナリングにより管理され、これらＴＡＧに関連するタイマは互いに異なる値で設定されることができる。基地局が該当ＴＡＧについて新しいタイミングアドバンスを提供する度に、これらＴＡＧのタイマはおおよそ再開始される。
【０１０４】
タイミングアドバンス命令ＭＡＣ制御要素が受信されると、ＭＡＣエンティティーは指示されたＴＡＧについてタイミングアドバンス命令を適用し；指示されたＴＡＧに関連するｔｉｍｅＡｌｉｇｎｍｅｎｔＴｉｍｅｒを開始又は再開始する。言い換えれば、タイミングアドバンスＭＡＣ制御要素が受信されると、ＭＡＣエンティティーは指示されたＴＡＧについてタイミングアドバンス命令によってサブフレームの境界を調整し、指示されたＴＡＧに関連するｔｉｍｅＡｌｉｇｎｍｅｎｔＴｉｍｅｒを開始又は再開始する。タイミングアドバンス命令(ｔｉｍｉｎｇ ａｄｖａｎｃｅ ｃｏｍｍａｎｄ、ＴＡＣ)ＭＡＣ制御要素(ｃｏｎｔｒｏｌ ｅｌｅｍｅｎｔ、ＣＥ)は、ＴＡＧ識別子とタイミングアドバンス命令を含む。ＴＡＧ識別子は言及したＴＡＧのＴＡＧ識別子である。ＴＡＣ ＭＡＣ ＣＥにおけるタイミングアドバンス命令は、ＭＡＣエンティティーが適用すべきタイミング調整量を調節するために使用されるインデックス値ＴＡである。
【０１０５】
１次セル又はＰＳＣｅｌｌを含むＴＡＧに対するタイミングアドバンス命令を受信すると、端末は受信されたタイミングアドバンス命令に基づいて１次セル又はＰＳＣｅｌｌのＰＵＣＣＨ／ＰＵＳＣＨ／ＳＲＳに対する上りリンク送信タイミングを調整する。ＴＡＧに対するタイミングアドバンス命令は、ＴＡＧに対する現在の上りリンクタイミングに対する上りリンクタイミングの変化を１６ＴＳの倍数で示し、ここでＴＳは基本時間単位である。従来のＬＴＥシステムでは、おおよそＴＳ＝１／(１５０００＊２０４８)秒である。任意接続応答の場合、ＴＡＧに対する１１ビットタイミングアドバンス命令ＴＡは、端末がＳＣＧに設定されると、ＴＡ＝０、１、２、...、２５６のインデックス値により、そうではないと、ＴＡ＝０、１、２、...、１２８２のインデックス値によりＮＴＡ値を示す。ここで、ＴＡＧに対する時間整列量はＮＴＡ＝ＴＡ＊１６に与えられる。ＮＴＡは端末における上りリンクラジオフレームと下りリンクラジオフレームの間のタイミングオフセットであって、ＴＳ単位で示される。他の場合、ＴＡＧに対する６ビットタイミングアドバンス命令ＴＡは、ＴＡ＝０、１、２、...、６３のインデックス値により、現在のＮＴＡ値であるＮＴＡ,ｏｌｄを新しいＮＴＡ値、ＮＴＡ,ｎｅｗに調整することを示す。ここで、ＮＴＡ,ｎｅｗ＝ＮＴＡ,ｏｌｄ＋(ＴＡ−３１)＊１６。ここで、ＴＡ値を正の正或いは負の正ほど調整することは、ＴＡＧに対する上りリンク送信タイミングを与えられた量ほど各々先行又は遅延させることを示す。サブフレームｎで受信したタイミングアドバンス命令について、上りリンク送信タイミングの該当調整はサブフレームｎ＋６の開始から適用される。端末において、上りリンクラジオフレームｉの送信は端末で該当下りリンクラジオフレームが始まる(ＮＴＡ＋ＮＴＡｏｆｆｓｅｔ)＊ＴＳ秒前に始まる。ここで、端末が２次セルグループ(ｓｅｃｏｎｄａｒｙ ｃｅｌｌ ｇｒｏｕｐ、ＳＣＧ)に設定されると、０≦ＮＴＡ≦４０９６であり、そうではないと、０≦ＮＴＡ≦２０５１２である。ＮＴＡｏｆｆｓｅｔは固定されたタイミングアドバンスのオフセットであり、ＴＳ単位で示される(３ＧＰＰ ＴＳ ３６.２１１参照)。
【０１０６】
ｔｉｍｅＡｌｉｇｎｍｅｎｔＴｉｍｅｒの満了時、ｔｉｍｅＡｌｉｇｎｍｅｎｔＴｉｍｅｒがｐＴＡＧに関連する場合、ＭＡＣエンティティーは全てのサービングセルについて全てのＨＡＲＱバッファをフラッシュし；ＲＲＣに全てのサービングセルについてＰＵＣＣＨを解除することを通知し；ＲＲＣに全てのサービングセルについてＳＲＳを解除することを通知し；設定された下りリンクの割り当てと上りリンクのグラントを削除し；全ての動作中のｔｉｍｅＡｌｉｇｎｍｅｎｔＴｉｍｅｒが満了したと見なす。ｔｉｍｅＡｌｉｇｎｍｅｎｔＴｉｍｅｒの満了時、ｔｉｍｅＡｌｉｇｎｍｅｎｔＴｉｍｅｒがsＴＡＧに関連すると、このＴＡＧに属する全てのサービングセルについて、ＭＡＣエンティティーは全てのＨＡＲＱバッファをフラッシュし；ＲＲＣにＳＲＳを解除することを通知し；設定されたＰＵＣＣＨがあれば、ＲＲＣに該ＰＵＣＣＨを解除することを通知する。
【０１０７】
(３ＧＰＰ ＴＳ ３６.１３３のサブ７.９.２に記載したような)最大の上りリンク送信タイミングの差又は端末が処理可能な、端末の任意のＭＡＣエンティティーのＴＡＧの間の最大の上りリンク送信タイミングの差が超えることにより、ＭＡＣエンティティーがＳＣｅｌｌについて上りリンク送信を中断する場合、ＭＡＣエンティティーはＳＣｅｌｌに関連するｔｉｍｅＡｌｉｇｎｍｅｎｔＴｉｍｅｒが満了したと判断する。ＭＡＣエンティティーは、サービングセルが属するＴＡＧに関連するｔｉｍｅＡｌｉｇｎｍｅｎｔＴｉｍｅｒが動作中ではないと、任意接続プリアンブル送信を除いてそのサービングセルにおける如何なる上りリンク送信も行わない。また、ｐＴＡＧに関連するｔｉｍｅＡｌｉｇｎｍｅｎｔＴｉｍｅｒが動作中ではない場合、ＭＡＣエンティティーはＳＰＣｅｌｌにおける任意接続プリアンブル送信を除いてはいずれのサービングセルでも上りリンク送信を行わない。該当ｔｉｍｅＡｌｉｇｎｍｅｎｔＴｉｍｅｒが動作していないと、該当サービングセルのＵＬタイミングに基づいて行われるサイドリンク送信及び関連ＳＣＩ送信を行わない。関連ｔｉｍｅＡｌｉｇｎｍｅｎｔＴｉｍｅｒの満了時、ＭＡＣエンティティーはＮＴＡを貯蔵又は維持し、ＮＴＡはｉｎ ３ＧＰＰ ＴＳ ３６.２１１に定義されている。ｔｉｍｅＡｌｉｇｎｍｅｎｔＴｉｍｅｒが動作していないと、ＭＡＣエンティティーは受信されたタイミングアドバンス命令ＭＡＣ制御要素を適用し、また関連ｔｉｍｅＡｌｉｇｎｍｅｎｔＴｉｍｅｒを始まる。
【０１０８】
ＵＬ−ＳＣＨに送信するために、ＭＡＣエンティティーはＰＤＣＣＨ上で動的に又は任意接続応答に受信されるか、又は準-持続的に設定可能な(非適応的ＨＡＲＱ再送信を除いた)有効上りリンクグラントを有する必要がある。求められる送信を行うために、ＭＡＣ階層は下位階層からＨＡＲＱ情報を受信する。物理階層が上りリンク空間多重化(ｓｐａｔｉａｌ ｍｕｌｔｉｐｌｅｘｉｎｇ)のために設定されると、ＭＡＣ階層は下位階層から同一のＴＴＩの間に最大２つのグラント(ＨＡＲＱプロセス当たり１つ)を受信することができる。
【０１０９】
近い未来に完全な移動性及び連結性を有する社会が期待されているが、これは連結性とトラフィックボリューム及びさらに広い使用シナリオの範囲における莫大な成長により特徴付けられる。一般的な趨勢はデータトラフィックの爆発的な増加、連結された装置の大幅増加及び新しいサービスの持続的な出表などを含む。市場の要求事項以外にも、モバイル通信社会自体が生態系の持続可能な開発を必要とし、これはスペクトル効率、エネルギー効率、動作効率及び費用効率などのシステム効率を一層改善する必要性を発生させる。市場及びモバイル通信社会からの増加する要求事項を満たすために、近い未来に次世代の接続技術が出現すると予想される。
【０１１０】
３ＧＰＰ ＳＡ１研究課題であるＮｅｗ Ｓｅｒｖｉｃｅｓ ａｎｄ Ｍａｒｋｅｔｓ Ｔｅｃｈｎｏｌｏｇｙ Ｅｎａｂｌｅｒｓ (ＳＭＡＲＴＥＲ)とＳＡ２研究課題であるＡｒｃｈｉｔｅｃｔｕｒｅ ｆｏｒ ｔｈｅ ｎｅｗ ＲＡＴ (ＮＲ) Ｓｙｓｔｅｍ (５Ｇ ｎｅｗ ＲＡＴと呼ぶ)だけではなく、Ｒｅｃｏｍｍｅｎｄａｔｉｏｎ ＩＴＵ−Ｒ Ｍ.２０８３ “Ｆｒａｍｅｗｏｒｋ ａｎｄ ｏｖｅｒａｌｌ ｏｂｊｅｃｔｉｖｅｓ ｏｆ ｔｈｅ ｆｕｔｕｒｅ ｄｅｖｅｌｏｐｍｅｎｔ ｏｆ ＩＭＴ ｆｏｒ ２０２０ ａｎｄ ｂｅｙｏｎｄ"でのように、ＩＴＵと３ＧＰＰで新しい無線システムのための要求事項と標準を発展させるための作業が開始された。消費者の緊急要求と、ＩＴＵ−Ｒ ＩＭＴ−２０２０プロセスにより提示されるより長期的な要求事項を適時に満たすＮＲシステムを成功的に標準化するために必要な技術構成要素を確認して開発する必要がある。これを達成するために、"新しい無線接続技術"において無線インターフェース及び無線ネットワークアーキテクチャーの進歩を考慮する必要がある。
【０１１１】
５Ｇ Ｎｅｗ ＲＡＴにおいて、ＲＲＣ_ＩＤＬＥとＲＲＣ_ＣＯＮＮＥＣＴＥＤに加えて、ＲＲＣ_ＩＮＡＣＴＩＶＥという新しい状態が導入される。端末をＲＲＣ_ＩＮＡＣＴＩＶＥに維持すると、以下のような長所がある：
【０１１２】
−端末コンテキストが無線接続ネットワーク(ｒａｄｉｏ Ａｃｃｅｓｓ ｎｅｔｗｏｒｋ、ＲＡＮ)に貯蔵されることにより、ＲＲＣ連結が設定される時、コアネットワーク(ｃｏｒｅ ｎｅｔｗｏｒｋ、ＣＮ)のシグナリングが減少する;
【０１１３】
−端末がＲＡＮレベルで追跡されることにより、ページングオーバーヘッドが減少する;
【０１１４】
−端末がＲＲＣ_ＩＤＬＥと類似するＤＲＸに設定されることにより、端末電力消費が減少する。
【０１１５】
しかし、ＲＲＣ_ＩＮＡＣＴＩＶＥの長所を十分に生かすためには、端末がＲＲＣ_ＣＯＮＮＥＣＴＥＤ状態に遷移せず、ＲＲＣ_ＩＮＡＣＴＩＶＥ状態で少ないデータを送信可能である必要がある。ＲＲＣ_ＣＯＮＮＥＣＴＥＤへの状態遷移には何回のＲＲＣメッセージ応答確認(ｈａｎｄｓｈａｋｅ)が求められ、これは多い無線リソースと端末電力を消費する。さらに、端末がＲＲＣ_ＣＯＮＮＥＣＴＥＤに留まると、連結モードＤＲＸが待機(又は非活性)モードＤＲＸより電力が非効率的であるので、端末はＲＲＣ_ＩＮＡＣＴＩＶＥより電力を多く消費する。よって、かかるＲＲＣ_ＩＮＡＣＴＩＶＥ状態において、端末は競争方式のＵＬグラント(以下、ＣＢ−グラントという)を用いてＵＬデータを送信する必要がある。端末がＵＬ送信を行うために、端末は有効な上りリンクタイミングを有する必要がある。端末と基地局の間にＵＬ送信タイミングが同期化されないと、この端末のＵＬ送信データは他の端末に干渉として作用し、他の端末のデータだけではなく、この端末のＵＬデータも基地局が正確に受信できない。ＵＬ送信タイミングはＴｉｍｅＡｌｉｇｎｍｅｎｔＴｉｍｅｒ(ＴＡＴ)と呼ぶタイマにより制御される。ＴＡＴが動作する間に、端末はＵＬタイミングが同期化されていると判断し、ＵＬ送信を行うことができる。しかし、ＴＡＴが動作していないと、端末はＵＬタイミングが同期化されていないと判断して、ＵＬ送信を行う前に任意接続(ｒａｎｄｏｍ Ａｃｃｅｓｓ、ＲＡ)手順を行う必要がある。ＲＡ手順時、端末は任意接続応答メッセージに含まれたタイミングアドバンス命令(ｔｉｍｉｎｇ ａｄｖａｎｃｅ ｃｏｍｍａｎｄ、ＴＡＣ)によりＵＬタイミングを得ることができる。現在のＬＴＥにおいて、端末がＲＲＣ_ＣＯＮＮＥＣＴＥＤから離れると、端末はＭＡＣをリセットする。ＭＡＣがリセットされると、ＴＡＴは端末で満了される。よって、端末がＲＲＣ_ＣＯＮＮＥＣＴＥＤにいないと、ＴＡＴが動作しておらず、端末はＵＬ送信を行うことができない。かかる問題を解決するために、以下のような方法が提案される。
【０１１６】
端末がＲＲＣ_ＣＯＮＮＥＣＴＥＤではない他の状態(即ち、ＲＲＣ_ＩＮＡＣＴＩＶＥ又はＲＲＣ_ＩＤＬＥ)でＵＬ送信を行うために、本発明は端末がＲＲＣ_ＣＯＮＮＥＣＴＥＤではない他の状態で使用する他のＴｉｍｅＡｌｉｇｎｍｅｎｔＴｉｍｅｒ(以下、Ｉ−ＴＡＴ)を維持し、Ｉ−ＴＡＴが動作中であると、ＲＲＣ_ＣＯＮＮＥＣＴＥＤではない他の状態でＵＬ送信を行うことを提案する。言い換えれば、Ｉ−ＴＡＴが動作する間、ＲＲＣ_ＣＯＮＮＥＣＴＥＤではない他の状態の端末は、ＵＬタイミングが同期化されたと見なし、ＵＬ送信を行うことができる。Ｉ−ＴＡＴが動作していないと、ＲＲＣ_ＣＯＮＮＥＣＴＥＤではない他の状態の端末はＵＬ送信を行わず、ＵＬ送信を行う前にＵＬ送信を得るための任意接続手順を行う。
【０１１７】
本発明において、端末はＲＲＣ_ＩＮＡＣＴＩＶＥのみのためのＩ−ＴＡＴ、ＲＲＣ_ＩＤＬＥのみのためのＩ−ＴＡＴ、ＲＲＣ_ＩＮＡＣＴＩＶＥとＲＲＣ_ＩＤＬＥの両方のためのＩ−ＴＡＴ、又はＲＲＣ_ＩＤＬＥのためのＩ−ＴＡＴとＲＲＣ ＩＤＬＥのためのＩ−ＴＡＴを維持することができる。
【０１１８】
端末は基地局からシステム情報、専用ＲＲＣシグナリング、又はＭＡＣ制御要素を通じてＩ−ＴＡＴ値を受信することができる。端末がＲＲＣ_ＣＯＮＮＥＣＴＥＤから離れる時、ＲＲＣ_ＣＯＮＮＥＣＴＥＤに進入する時、ＲＲＣ_ＣＯＮＮＥＣＴＥＤである時、ＲＲＣ_ＩＮＡＣＴＩＶＥに進入する時、又はＲＲＣ_ＩＤＬＥに進入する時、端末は基地局からＩ−ＴＡＴ値を受信することができる。
【０１１９】
従来のＬＴＥシステムにおいて、端末がＲＲＣ_ＣＯＮＮＥＣＴＥＤから離れる場合、ＲＲＣ_ＣＯＮＮＥＣＴＥＤ状態で使用したタイマを中断又は終了する。従来のＬＴＥシステムとは逆に、本発明では、端末がＲＲＣ_ＣＯＮＮＥＣＴＥＤから離れる時、ＲＲＣ_ＩＮＡＣＴＩＶＥに進入する時、ＲＲＣ_ＩＤＬＥに進入する時、ＭＡＣをリセットする時、又はシステム情報やＲＲＣ／ＰＤＣＰ／ＲＬＣ／ＭＡＣシグナリングにより基地局からＩ−ＴＡＴを開始するという指示を受信する時、端末はＩ−ＴＡＴを開始する。かかる指示はタイミングアドバンス命令であることができる。
【０１２０】
端末がシステム情報又はＲＲＣ／ＰＤＣＰ／ＲＬＣ／ＭＡＣシグナリングにより基地局からＩ−ＴＡＴを再開始するという指示を受信する場合、Ｉ−ＴＡＴを再開始する。かかる指示はタイミングアドバンス命令であることができる。
【０１２１】
端末がＲＲＣ_ＣＯＮＮＥＣＴＥＤに進入する時、ＲＲＣ_ＩＮＡＣＴＩＶＥから離れる時、又はＲＲＣ_ＩＤＬＥから離れる時、端末はＩ−ＴＡＴを中断するか又はＩ−ＴＡＴが満了する。
【０１２２】
Ｉ−ＴＡＴが満了されると、端末はＵＬタイミングが同期化されていないと判断して、ＵＬ送信を行わず、ＲＲＣ_ＩＮＡＣＴＩＶＥ又はＲＲＣ_ＩＤＬＥ状態でＵＬ送信のために使用可能な設定されたＵＬグラントを解除し、及び／又は全てのサービングセルについて全てのＨＡＲＱバッファをフラッシュする。
【０１２３】
図６は本発明によるＵＬデータ送信の一例を示すフローチャートである。
【０１２４】
ＲＲＣ_ＩＮＡＣＴＩＶＥ又はＲＲＣ_ＩＤＬＥにおいて(Ｓ６１０)、ＵＬデータが端末に到達すると(Ｓ６２０)、端末はＩ−ＴＡＴが動作しているか否かを確認する(Ｓ６３０)。言い換えれば、端末がＲＲＣ_ＣＯＮＮＥＣＴＥＤではない場合、送信するＵＬデータがあれば、端末はＩ−ＴＡＴが動作しているか否かを確認する。
【０１２５】
Ｉ−ＴＡＴが動作していると(Ｓ６３０においてＹｅｓ)、端末はＲＲＣ_ＩＮＡＣＴＩＶＥ又はＲＲＣ_ＩＤＬＥでＵＬ送信のために使用可能な設定されたＵＬグラントを使用してＵＬ送信を行う(Ｓ６４０)。設定されたＵＬグラントは競争方式又は専用方式である。端末はＵＬデータと共に端末識別子(ＩＤ)を送信できる。
【０１２６】
Ｉ−ＴＡＴが動作していないと(Ｓ６３０においてＮｏ)、端末はＵＬ送信が許容されないものと判断して、ＲＡ手順を開始する(Ｓ６５０)。ＲＡ手順において、端末は任意接続応答のメッセージによりタイミングアドバンス命令(ＴＡＣ)を受信する。ＲＡ手順が成功的に終了すると、端末はＲＡＲで受信されたＴＡＣをＩ−ＴＡＴに適用し、Ｉ−ＴＡＴを開始する。その後、Ｉ−ＴＡＴが動作中であるので、端末はＲＲＣ_ＩＮＡＣＴＩＶＥ又はＲＲＣ_ＩＤＬＥにおいてＵＬ送信のために使用できる設定されたＵＬグラントを使用してＵＬ送信を行う。
【０１２７】
ＲＲＣ_ＣＯＮＮＥＣＴＥＤで使用されるＴＡＴは本発明のＩ−ＴＡＴとして再使用できる。
【０１２８】
本発明のＩ−ＴＡＴとＲＲＣ_ＣＯＮＮＥＣＴＥＤで使用されるＴＡＴは別々に設定されることができる。ＲＲＣ_ＩＮＡＣＴＩＶＥの端末はＲＡＮレベルで追跡でき、これは端末が多く移動しないことを意味する。これを考慮して、Ｉ−ＴＡＴに対する値はＲＲＣ_ＣＯＮＮＥＣＴＥＤで使用されるＴＡＴに対する値より大きく設定可能である。
【０１２９】
本発明において、ＲＲＣ_ＩＤＬＥ又はＲＲＣ_ＩＮＡＣＴＩＶＥの端末は、Ｉ−ＴＡＴが動作中であると、ＲＡ手順無しにＵＬ送信を行うことができる。従って、ＲＲＣ_ＩＤＬＥ又はＲＲＣ_ＩＮＡＣＴＩＶＥにおいて無線リソースがさらに効果的に管理され、端末の電力がより効果的に節減される。
【０１３０】
本発明の端末はＩ−ＴＡＴが動作中であると、ＲＲＣ_ＩＤＬＥ又はＲＲＣ_ＩＮＡＣＴＩＶＥでＲＡ手順無しにＵＬ送信を行うことができ、反面、制御平面ＣＩｏＴ ＥＰＳの最適化によってＵＬユーザのデータはまずＮＡＳ ＰＤＵによりＲＲＣ連結設定の完了メッセージで送信されることができるので、制御平面ＣＩｏＴ ＥＰＳの最適化を用いる端末がＵＬ送信を行うためには、ＲＡ手順の少なくとも一部を行う必要があるという点で、本発明は制御平面ＣＩｏＴ ＥＰＳの最適化とは異なる。
【０１３１】
図７は、本発明を実行する送信装置１００及び受信装置２００の構成要素を示すブロック図である。
【０１３２】
送信装置１００及び受信装置２００は、情報及び／又はデータ、信号、メッセージなどを搬送する無線信号を送信又は受信できる無線周波数（ｒａｄｉｏ ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０１３３】
メモリ１２，２２は、プロセッサ１１，２１の処理及び制御のためのプログラムを格納することができ、入／出力される情報を臨時記憶することができる。メモリ１２，２２をバッファーとして活用することができる。
【０１３４】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）などをプロセッサ１１，２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１３５】
送信装置１００のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てK個のレイヤに変換する。コーディングされたデータ列はコードワードとも呼ばれ、ＭＡＣ層の提供するデータブロックである輸送ブロックと等価である。１つの輸送ブロック（ｔｒａｎｓｐｏｒｔ ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０１３６】
受信装置２００の信号処理過程は、送信装置１００の信号処理過程の逆に構成される。プロセッサ２１の制御下に、受信装置２００のＲＦユニット２３は送信装置１００によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１００が本来送信しようとしたデータを復元することができる。
【０１３７】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２００でそれ以上分解することができない。該当アンテナに対応して送信された参照信号（ｒｅｆｅｒｅｎｃｅ ｓｉｇｎａｌ、ＲＳ）は、受信装置２００の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２００にとって上記アンテナに対するチャネル推定を可能にする。即ち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ Ｍｕｌｔｉ−Ｏｕｔｐｕｔ、ＭＩＭＯ）機能を支援するＲＦユニットの場合は、２個以上のアンテナと接続することができる。
【０１３８】
本発明の実施例において、ＵＥは、上りリンクでは送信装置１００として動作し、下りリンクでは受信装置２００として動作する。本発明の実施例において、ｅＮＢは、上りリンクでは受信装置２００として動作し、下りリンクでは送信装置１００として動作する。以下、ＵＥに具備されたプロセッサ、ＲＦユニット及びメモリを、ＵＥプロセッサ、ＵＥ ＲＦユニット及びＵＥメモリとそれぞれ称し、ｅＮＢに具備されたプロセッサ、ＲＦユニット及びメモリを、ｅＮＢプロセッサ、ｅＮＢ ＲＦユニット及びｅＮＢメモリとそれぞれ称する。
【０１３９】
本発明による端末プロセッサは、端末がＲＲＣ_ＣＯＮＮＥＣＴＥＤ状態ではない間に使用できるＵＬグラントを受信するように端末ＲＦユニットを制御する。端末プロセッサは、ＲＲＣ_ＣＯＮＮＥＣＴＥＤ状態から離れるように指示するメッセージを受信するように端末ＲＦユニットを制御する。端末ＲＦユニットがＲＲＣ_ＣＯＮＮＥＣＴＥＤ状態から離れるように指示するメッセージを受信すると、端末がＲＲＣ_ＣＯＮＮＥＣＴＥＤ状態を離れる時、端末プロセッサは時間整列タイマ(Ｉ−ＴＡＴ)を開始することができる。端末がＲＲＣ_ＣＯＮＮＥＣＴＥＤ状態ではない時に送信するＵＬデータがあり、Ｉ−ＴＡＴが動作中であると、端末プロセッサはＵＬグラントを用いてＵＬデータを送信するようにＵＬ ＲＦユニットを制御することができる。端末がＲＲＣ_ＣＯＮＮＥＣＴＥＤ状態ではない時に送信するＵＬデータがあり、Ｉ−ＴＡＴが動作中ではないと、端末プロセッサはＵＬ同期化を得るためにＲＡ手順を開始する。端末プロセッサはシステム情報によりＩ−ＴＡＴを再開始するという指示を受信するように端末ＲＦユニットを制御することができる。端末ＲＦユニットがＩ−ＴＡＴを再開始するという指示を受信すると、端末はＩ−ＴＡＴを再開始する。Ｉ−ＴＡＴは端末がＲＲＣ_ＣＯＮＮＥＣＴＥＤではない間、ＵＬタイミングが同期化されていないと見なす期間を指示することができる。端末がＲＲＣ_ＣＯＮＮＥＣＴＥＤ状態を離れることは、端末がＲＲＣ_ＩＮＡＣＴＩＶＥ状態に進入することを意味することができる。端末がＲＲＣ_ＣＯＮＮＥＣＴＥＤ状態ではない場合、端末プロセッサはＵＬグラントを使用して端末の識別子と共にＵＬデータを送信するように端末ＲＦユニットを制御することができる。端末がＲＲＣ_ＣＯＮＮＥＣＴＥＤ状態に進入すると、端末プロセッサはＩ−ＴＡＴを中断することができる。メッセージは時間整列タイマ(Ｉ−ＴＡＴ)に対する値を含むことができる。
【０１４０】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。従って、本発明は、ここに開示された実施の形態に制限しようとするものではなく、ここに開示された原理及び新規な特徴と一致する最も広い範囲を与えようとするものである。
【産業上の利用可能性】
【０１４１】
本発明の実施例は、無線通信システムにおいて、基地局又はユーザ機器、その他の装備に用いることができる。
【図１】
2019533374.tif 000003
【図２】
2019533374.tif 000004
【図３】
2019533374.tif 000005
【図４】
2019533374.tif 000006
【図５】
2019533374.tif 000007
【図６】
2019533374.tif 000008
【図７】
2019533374.tif 000009
【国際調査報告】
2019533374.tif 000010
2019533374.tif 000011
2019533374.tif 000012
2019533374.tif 000013